(57)【要約】【課題】  光ケーブルの光ファイバーの端部同士を簡単に接続できるコネクタを提供する。【解決手段】一対の円筒状のクランプ接続端子２、３と、両クランプ接続端子２、３の間に配されて両側の筒内に挿入可能な円筒状の接続子１と、該クランプ接続端子２、３と接続子１とを接続状態に維持させる接続維持手段１５から構成され、クランプ接続端子２、３は、光ファイバー９を挿通可能な径の光ファイバー挿通孔１０を複数平行させて形成したフェルール６をフランジ８を介して筒型のクランプ７内に往復可能に装着する。接続子１は、両クランプ接続端子２、３のフェルール６の接合面同士６ａが内部で密接できるように形成する。前記接続維持手段１５は、前記接続子１の内部で前記両クランプ接続端子２、３のフェルール６の接合面同士６ａが前記クランプ接続端子２、３の押圧スプリング１３により押圧された状態で接続を維持可能に連結させる。【選択図】    図１
2008180822.tif 000002
【特許請求の範囲】
【請求項１】
一対の円筒状のクランプ接続端子と、両クランプ接続端子の間に配されて両側の筒内に挿入可能な円筒状の接続子と、該クランプ接続端子と接続子とを接続状態に維持させる接続維持手段から成り、
前記クランプ接続端子は、先端側を平面状の接合面に形成するともに一本の光ファイバーを挿通可能な径の光ファイバー挿通孔を複数平行させて形成したフェルールを先端側に配してフランジを介して筒型のクランプ内に往復可能に装着し、前記クランプの後部には光ケーブル挿通孔を有する光ケーブルガイドガイド軸を前記フランジの外径面と前記クランプの内径面との間にバネ装着空間を形成させて一体的に形成し、
前記バネ装着空間の後部側の前記クランプの内面にバネ止部を突設させて該バネ止部と前記フランジの後部面との間に押圧スプリングを装着し、
前記バネ止部よりも後方となる前記光ケーブルガイドガイド軸の外周部位に前記バネ止部に当接可能な外径としたストッパーを形成し、
前記接続子は、両側から前記フェルールを差し込む際に内部のエアーを抜ける程度の精密な内径に形成して前記両クランプ接続端子の接合面同士が内部で密接できるように形成し、
前記接続維持手段は、前記接続子の内部で前記両クランプ接続端子の接合面同士が前記クランプ接続端子の押圧スプリングにより押圧された状態で接続を維持可能に前記両クランプ接続端子を連結させ、
前記フェルールの光ファイバー挿通孔から前記接合面に達するように両側から差し込まれた光ファイバーの先端同士を光透過させる透明なゲル材を介して接続可能としたことを特徴とする光ケーブルコネクタ。
【請求項２】
接続維持手段が、接続子の両端寄りの外周に設けた各突部と、クランプ接続端子のクランプに該クランプの先端側から案内溝を切欠して設け、その案内溝の先端にクランプ接続端子の先端側へ帰るように横向きに形成した止め孔を形成して成り、前記突部と前記止め孔とが係止可能に着脱できるようにしたことを特徴とする請求項１に記載の光ケーブルコネクタ。
【請求項３】
光ファイバーの端部同士が光接続可能な位置において、クランプ接続端子のフェルールの外周面と、接続子の内周面に、前記外周面と内周面とが嵌合可能に軸方向と平行な対向した凹凸隆条を周向間隔を置いて複数形成し、光ファイバーの端部同士が光接続可能な位置に成ったときのみクランプ接続端子と接続子とが深く差し込めて接続できるようにしたことを特徴とする請求項１又は２に記載の光ケーブルコネクタ。
【請求項４】
接続子の両端に凹凸隆条の位置決めが可能となる位置において、クランプ接続端子とのフェルールの外周面と接続子の内周面の凹凸隆条が一致できる切欠部を設けたことを特徴とする請求項３に記載の光ケーブルコネクタ。
【請求項５】
接続子の外周面に嵌合可能な湾曲状を成し、接続時のクランプ接続端子のクランプの先端間と同幅の帯状凸部を備えた弾性ストッパー環を、両クランプ先端間に着脱可能に落とし込んで止め孔から各突部が抜けないようにしたことを特徴とする請求項２から４うちいずれかに記載の光ケーブルコネクタ。
【発明の詳細な説明】
【技術分野】
【０００１】
本発明は、光ケーブルの複数の光ファイバーの各端部同士を接続するための光ケーブルコネクタに関する。
【背景技術】
【０００２】
通常、光ケーブルの光ファイバーの接続は、長方形の樹脂の一面に光ファイバーの端面を並べ、両側の対応面を光ファイバーの両側に設けた接続端子で端面から突出させた光ファイバーの接触位置を決めて、接続させていた。
精度が出しにくく接続工事は艱難で多くの時間が掛かっていた。
また接続部分は、配線のなかでそこだけ大きく嵩張るという問題があった。
【発明の開示】
【発明が解決しようとする課題】
【０００３】
そこで本発明は、光ケーブルを構成する光ファイバーの端部同士を簡単に接続できるコネクタを提供しようとするものである。
【課題を解決するための手段】
【０００４】
上記課題を解決するための本発明の光ケーブルコネクタは、請求項１の発明においては、    一対の円筒状のクランプ接続端子と、両クランプ接続端子の間に配されて両側の筒内に挿入可能な円筒状の接続子と、該クランプ接続端子と接続子とを接続状態に維持させる接続維持手段から成り、
前記クランプ接続端子は、先端側を平面状の接合面に形成するともに一本の光ファイバーを挿通可能な径の光ファイバー挿通孔を複数平行させて形成したフェルールを先端側に配してフランジを介して筒型のクランプ内に往復可能に装着し、前記クランプの後部には光ケーブル挿通孔を有する光ケーブルガイドガイド軸を前記フランジの外径面と前記クランプの内径面との間にバネ装着空間を形成させて一体的に形成し、
前記バネ装着空間の後部側の前記クランプの内面にバネ止部を突設させて該バネ止部と前記フランジの後部面との間に押圧スプリングを装着し、
前記バネ止部よりも後方となる前記光ケーブルガイドガイド軸の外周部位に前記バネ止部に当接可能な外径としたストッパーを形成し、
前記接続子は、両側から前記フェルールを差し込む際に内部のエアーを抜ける程度の精密な内径に形成して前記両クランプ接続端子の接合面同士が内部で密接できるように形成し、
前記接続維持手段は、前記接続子の内部で前記両クランプ接続端子の接合面同士が前記クランプ接続端子の押圧スプリングにより押圧された状態で接続を維持可能に前記両クランプ接続端子を連結させ、
前記フェルールの光ファイバー挿通孔から前記接合面に達するように両側から差し込まれた光ファイバーの先端同士を光透過させる透明なゲル材を介して接続可能としたことを特徴とする。
【０００５】
請求項２に記載の発明においては、上記発明において、前記接続維持手段が、接続子の両端寄りの外周に設けた各突部と、クランプ接続端子のクランプに該クランプの先端側から案内溝を切欠して設け、その案内溝の先端にクランプ接続端子の先端側へ帰るように横向きに形成した止め孔を形成して成り、前記突部と前記止め孔とが係止可能に着脱できるようにしたことを特徴とする。
【０００６】
請求項３に記載の発明においては、上記発明において、前記光ファイバーの端部同士が光接続可能な位置において、クランプ接続端子のフェルールの外周面と、接続子の内周面に、前記外周面と内周面とが嵌合可能に軸方向と平行な対向した凹凸隆条を周向間隔を置いて複数形成し、光ファイバーの端部同士が光接続可能な位置に成ったときのみクランプ接続端子と接続子とが深く差し込めて接続できるようにしたことを特徴とする。
【０００７】
請求項４に記載の発明においては、上記発明において、前記接続子の両端に凹凸隆条の位置決めが可能となる位置において、クランプ接続端子とのフェルールの外周面と接続子の内周面の凹凸隆条が一致できる切欠部を設けたことを特徴とする。
【０００８】
請求項５に記載の発明においては、上記発明において、前記接続子の外周面に嵌合可能な湾曲状を成し、接続時のクランプ接続端子のクランプの先端間と同幅の帯状凸部を備えた弾性ストッパー環を、両クランプ先端間に着脱可能に落とし込んで止め孔から各突部が抜けないようにしたことを特徴とする。
【発明の効果】
【０００９】
本発明は上記構成なので、光ケーブルの複数の光ファイバーを一度に間単に接続できるうになった。
また、従来は接続部分が大きく嵩張って邪魔になっていたが、本発明では細く形成されるようになったので殆ど嵩張らなくなった。
接続後には、接続部分に力が加わっても、内部のバネの力で自動的に復元され、その際に、透明なゲル材も一旦変形するが直ぐに復元させる。このため、メンテナンスに要する時間やコストが大幅に削減できるようになった、
【発明を実施するための最良の形態】
【００１０】
本発明の実施の形態を以下詳しく説明する。
本発明の光ケーブルコネクタは、請求項１の発明においては、図１及び図３に示すように、一対の円筒状のクランプ接続端子２、３と、両クランプ接続端子２、３の間に配されて両側の筒内に挿入可能な円筒状の接続子１と、該クランプ接続端子２、３と接続子１とを接続状態に維持させる接続維持手段１５から構成される。
【００１１】
前記クランプ接続端子２、３は、先端側を平面状の接合面６ａに形成するともに一本の光ファイバー９を挿通可能な径の光ファイバー挿通孔１０を複数平行させて形成したフェルール６を先端側に配してフランジ８を介して筒型のクランプ７内に往復可能に装着する。
そして、前記クランプ７の後部には光ケーブル挿通孔を有する光ケーブルガイドガイド軸１１を前記フランジ８の外径面と前記クランプ７の内径面との間にバネ装着空間２８を形成させて一体的に形成する。
【００１２】
前記バネ装着空間２８の後部側の前記クランプ７の内面にバネ止部１２を突設させて該バネ止部１２と前記フランジ８の後部面との間に押圧スプリング１３を装着する。
【００１３】
そして、前記バネ止部１２よりも後方となる前記光ケーブルガイドガイド軸１１の外周部位に前記バネ止部１２に当接可能な外径としたストッパー１４を形成する。
【００１４】
前記接続子１は、両側から前記フェルール６を差し込む際に内部のエアーを抜ける程度の精密な内径にエアー抜き空間２９を形成して前記両クランプ接続端子２、３のフェルール６の接合面同士６ａが内部で密接できるように形成する。
【００１５】
前記接続維持手段１５は、前記接続子１の内部で前記両クランプ接続端子２、３のフェルール６の接合面同士６ａが前記クランプ接続端子２、３の押圧スプリング１３により押圧された状態で接続を維持可能に前記両クランプ接続端子２、３を連結させ、前記フェルール６の光ファイバー挿通孔１０から前記接合面６ａに達するように両側から差し込まれた光ファイバー９の先端９ａ同士を光透過させる透明なゲル材を介して接続可能とする。
【００１６】
前記接続維持手段１５は、図１及び図２に示すように、接続子１の両端寄りの外周に設けた各突部１７と、クランプ接続端子２、３のクランプ７に該クランプ７の先端側から案内溝１８を切欠して設け、その案内溝１８の先端にクランプ接続端子２、３の先端側へ帰るように横向きに形成した止め孔１９を形成する。
そして、前記突部１７と前記止め孔１９とが係止可能に着脱できるようにする。
【００１７】
さらに、図４に示すように、前記光ファイバー９の端部９ａ同士が光接続可能な位置において、クランプ接続端子２、３のフェルール６の外周面と、接続子の内周面に、前記外周面と内周面とが嵌合可能に軸方向と平行な対向した凹凸隆条２０、２１を周向間隔を置いて複数形成し、光ファイバー９の端部同士が光接続可能な位置に成ったときのみクランプ接続端子２、３と接続子１とが深く差し込めて接続できるようにする。
【００１８】
また、図２の（イ）に示すように前記接続子１の両端に凹凸隆条２０、２１の位置決めが可能となる位置において、クランプ接続端子２、３とのフェルール６の外周面と接続子の内周面の凹凸隆条２０、２１が一致できる切欠部２２を設ける。
【００１９】
そして、図２の（ロ）に示すように、前記接続子１の外周面に嵌合可能な湾曲状を成し、接続時のクランプ接続端子２、３のクランプ７の先端間と同幅の帯状凸部を備えた弾性ストッパー環２４を備えれば、両クランプ先端間に着脱可能に落とし込んで止め孔から各突部が抜けないようにすることが可能となる。
【産業上の利用可能性】
【００２０】
本発明は、光ケーブルの光ファイバーの端部同士を接続する光ケーブルコネクタに使用されるが、用いる光ファイバーは各種材質の使用が可能である。
【図面の簡単な説明】
【００２１】
【図１】本発明の（イ）が斜視図、（ロ）が縦断側面図である。
【図２】（イ）が分離した状態を示す各部分の斜視図、（ロ）が接続した状態の斜視図である。
【図３】接続した状態の縦断側面図である。
【図４】要部を示す図３のＡ−Ａ線輪切り断面図である。
【符号の説明】
【００２２】
１    接続子
２    クランプ接続端子
３    クランプ接続端子
４    接続子の管部
５    接続子の固定部
６ａ  接合面
６    フェルール
７    クランプ
８    フランジ
９    光ファイバー
９ａ  光ファイバーの端部
１０    光ファイバー挿通孔
１１    光ケーブルガイドガイド軸
１２    バネ止部
１３    押圧スプリング
１４    ストッパー
１５    接続維持手段
１６    ゲル材
１７    突部
１８    案内溝
１９    止め孔
２０    凹隆条
２１    凸隆条
２２    切欠部
２３    センターライン
２４    ストッパー環
２５    光ケーブル保護材
２６    光ケーブル
２８    バネ装着空間
２９    エアー抜き隙間
【図１】
2008180822.tif 000003
【図２】
2008180822.tif 000004
【図３】
2008180822.tif 000005
【図４】
2008180822.tif 000006